(57)【要約】【課題】過去の見積もり情報を容易に検索及び流用すること。【解決手段】見積単価の基本情報及び分類情報を見積検索入力部２から入力する工程と、該入力した見積検索条件に合致又は類似する見積単価情報を記憶部１から検索抽出する工程と、この検索した見積単価情報に合致又は類似する見積単価情報が存在するか否か判定する工程と、この合致又は類似する見積単価情報が存在すると判定したとき、一覧画面に該当する見積単価情報を出力部４にリスト表示する工程と、この表示した見積単価情報リストから選択された見積単価情報を自己の積載システムの設計書内に複写させる工程と、この複写した見積単価を記憶部１に登録して処理を終了する工程とを実行する公共工事設計書データ見積単価検索システム。【選択図】図１
2016218602.tif 000002
【特許請求の範囲】
【請求項１】
見積単価の基本情報及び分類情報を格納する記憶部と、見積単価の検索条件を入力する為の見積検索入力部と、該記憶部から見積検索入力部から入力した見積検索条件に合致又は類似した見積単価の情報を検索する検索処理部と、該検索処理部が検索抽出した見積単価情報を一覧として表示出力する出力部と、該出力部に表示した見積単価情報覧から操作者が選択した見積単価を自己の積算システムに複写する複写処理部と、工事等の見積単価の基本情報及び分類情報を入力する為の見積入力部と、見積単価を記憶部に登録する為の保存部とを備え、前記記憶部が、見積単価と部品の形状と査定率と決定額と見積社数と見積整理表名称と備考と見積方式と分類区分と大分類と、中分類と、小分類との各項目情報から構成される見積単価情報を格納する公共工事設計書データ見積単価検索システムであって、
見積単価の基本情報及び分類情報を見積検索入力部から入力する第１工程と、
該第１工程により入力した見積検索条件に合致又は類似する見積単価情報を記憶部から検索抽出する第２工程と、
該第２工程により検索した見積単価情報に該当する見積単価情報が存在するか否か判定する第３工程と、
該第３工程において該当する見積単価情報が存在すると判定したとき、一覧画面に該当する見積単価情報を出力部にリスト表示する第４工程と、
該第４工程において表示した見積単価情報リストから選択された見積単価情報を自己の積載システムの設計書内に複写させる第５工程と、
前記第３工程において該当する見積単価情報が存在しないと判定したとき、見積入力部を用いた見積単価の基本情報及び分類情報の入力を受け付ける第６工程と、
前記第５工程又は第６工程に続き、第５工程により複写した見積単価又は第６工程により入力を受け付けた見積単価の基本情報及び分類情報を記憶部に登録して処理を終了する第７工程とを実行することを特徴とする公共工事設計書データ見積単価検索システム。
【請求項２】
見積単価の基本情報及び分類情報を格納する記憶部と、見積単価の検索条件を入力する為の見積検索入力部と、該記憶部から見積検索入力部から入力した見積検索条件に合致又は類似した見積単価の情報を検索する検索処理部と、該検索処理部が検索抽出した見積単価情報を一覧として表示出力する出力部と、該出力部に表示した見積単価情報覧から操作者が選択した見積単価を自己の積算システムに複写する複写処理部と、工事等の見積単価の基本情報及び分類情報を入力する為の見積入力部と、見積単価を記憶部に登録する為の保存部とを備え、前記記憶部が、見積単価と部品の形状と査定率と決定額と見積社数と見積整理表名称と備考と見積方式と分類区分と大分類と、中分類と、小分類との各項目情報から構成される見積単価情報を格納するコンピュータを用いた公共工事設計書データ見積単価検索方法であって、
前記コンピュータに、
見積単価の基本情報及び分類情報を見積検索入力部から入力する第１工程と、
該第１工程により入力した見積検索条件に合致又は類似する見積単価情報を記憶部から検索抽出する第２工程と、
該第２工程により検索した見積単価情報に該当する見積単価情報が存在するか否か判定する第３工程と、
該第３工程において該当する見積単価情報が存在すると判定したとき、一覧画面に該当する見積単価情報を出力部にリスト表示する第４工程と、
該第４工程において表示した見積単価情報リストから選択された見積単価情報を自己の積載システムの設計書内に複写させる第５工程と、
前記第３工程において該当する見積単価情報が存在しないと判定したとき、見積入力部を用いた見積単価の基本情報及び分類情報の入力を受け付ける第６工程と、
前記第５工程又は第６工程に続き、第５工程により複写した見積単価又は第６工程により入力を受け付けた見積単価の基本情報及び分類情報を記憶部に登録して処理を終了する第７工程とを実行させることを特徴とする公共工事設計書データ見積単価検索方法。
【発明の詳細な説明】
【技術分野】
【０００１】
本発明は、工事価格を算出する積算システムにおいて業者見積の作業効率化を行うことができる公共工事設計書データ見積単価検索システム及び公共工事設計書データ見積単価検索方法に係り、特に過去の見積もり情報を容易に検索し、過去の見積もり情報を容易に流用することができる公共工事設計書データ見積単価検索システム及び公共工事設計書データ見積単価検索方法に関する。
【背景技術】
【０００２】
一般に公共工事等の見積もりを行う見積もり積算システムは、積算基準や各種価格資料（価格調査月刊誌、業者見積、公共工事設計労務単価等）に基づいて設計書の作成及び積算を行っている。この公共工事の費用は国交省の積算基準及び各種価格資料（価格調査月刊誌、業者見積、公共工事設計労務単価等）に基づいて積算し決定する。
【０００３】
従来技術による積算システムは、予め積算基準及び各種価格を単価データとしてＤＢ（データベース）に登録しておき、単価データを用いて設計書を作成することにより、公共工事価格の効率的な積算を可能としている。業者見積りは作業条件毎に価格が異なることから予め登録出来ない為、見積単価としてＤＢに登録し積算時に利用可能とする機能と、この見積単価は過去の設計書に登録した見積単価を複写可能な複写機能を有する。
【０００４】
なお、従来技術による積算システムが記載された文献としては下記の特許文献が挙げられる。この特許文献には、「コンピュータを用いて建物の建設費用を見積もるために表形式で品目毎の標準単価を表示画面上に表示し、前記標準単価に基づく積算額を前記表示画面上に表示する積算システムであって、前記表示画面上の前記標準単価に代えて標準外単価を入力可能であり、該標準外単価が入力されたとき該標準外単価に基づいて前記積算額が更新される」という記載がある。
【先行技術文献】
【特許文献】
【０００５】
【特許文献１】特開２００５−４５２８号公報
【発明の概要】
【発明が解決しようとする課題】
【０００６】
前述の特許文献１に記載された技術は、標準単価欄の修正に柔軟に対応し得る積算システムを提供することができる効果に留まる。
【０００７】
そこで、本発明では、過去の見積もり情報を容易に検索し、過去の見積もり情報を容易に流用することができる公共工事設計書データ見積単価検索システム及び公共工事設計書データ見積単価検索方法を提供することを目的とする。
【課題を解決するための手段】
【０００８】
前記目的を達成するため本発明は、見積単価の基本情報及び分類情報を格納する記憶部と、見積単価の検索条件を入力する為の見積検索入力部と、該記憶部から見積検索入力部から入力した見積検索条件に合致又は類似した見積単価の情報を検索する検索処理部と、該検索処理部が検索抽出した見積単価情報を一覧として表示出力する出力部と、該出力部に表示した見積単価情報覧から操作者が選択した見積単価を自己の積算システムに複写する複写処理部と、工事等の見積単価の基本情報及び分類情報を入力する為の見積入力部と、見積単価を記憶部に登録する為の保存部とを備え、前記記憶部が、見積単価と部品の形状と査定率と決定額と見積社数と見積整理表名称と備考と見積方式と分類区分と大分類と、中分類と、小分類との各項目情報から構成される見積単価情報を格納する公共工事設計書データ見積単価検索システムであって、
見積単価の基本情報及び分類情報を見積検索入力部から入力する第１工程と、
該第１工程により入力した見積検索条件に合致又は類似する見積単価情報を記憶部から検索抽出する第２工程と、
該第２工程により検索した見積単価情報に該当する見積単価情報が存在するか否か判定する第３工程と、
該第３工程において該当する見積単価情報が存在すると判定したとき、一覧画面に該当する見積単価情報を出力部にリスト表示する第４工程と、
該第４工程において表示した見積単価情報リストから選択された見積単価情報を自己の積載システムの設計書内に複写させる第５工程と、
前記第３工程において該当する見積単価情報が存在しないと判定したとき、見積入力部を用いた見積単価の基本情報及び分類情報の入力を受け付ける第６工程と、
前記第５工程又は第６工程に続き、第５工程により複写した見積単価又は第６工程により入力を受け付けた見積単価の基本情報及び分類情報を記憶部に登録して処理を終了する第７工程とを実行することを特徴とする。
【０００９】
また、本発明は、見積単価の基本情報及び分類情報を格納する記憶部と、見積単価の検索条件を入力する為の見積検索入力部と、該記憶部から見積検索入力部から入力した見積検索条件に合致又は類似した見積単価の情報を検索する検索処理部と、該検索処理部が検索抽出した見積単価情報を一覧として表示出力する出力部と、該出力部に表示した見積単価情報覧から操作者が選択した見積単価を自己の積算システムに複写する複写処理部と、工事等の見積単価の基本情報及び分類情報を入力する為の見積入力部と、見積単価を記憶部に登録する為の保存部とを備え、前記記憶部が、見積単価と部品の形状と査定率と決定額と見積社数と見積整理表名称と備考と見積方式と分類区分と大分類と、中分類と、小分類との各項目情報から構成される見積単価情報を格納するコンピュータを用いた公共工事設計書データ見積単価検索方法であって、
前記コンピュータに、
見積単価の基本情報及び分類情報を見積検索入力部から入力する第１工程と、
該第１工程により入力した見積検索条件に合致又は類似する見積単価情報を記憶部から検索抽出する第２工程と、
該第２工程により検索した見積単価情報に該当する見積単価情報が存在するか否か判定する第３工程と、
該第３工程において該当する見積単価情報が存在すると判定したとき、一覧画面に該当する見積単価情報を出力部にリスト表示する第４工程と、
該第４工程において表示した見積単価情報リストから選択された見積単価情報を自己の積載システムの設計書内に複写させる第５工程と、
前記第３工程において該当する見積単価情報が存在しないと判定したとき、見積入力部を用いた見積単価の基本情報及び分類情報の入力を受け付ける第６工程と、
前記第５工程又は第６工程に続き、第５工程により複写した見積単価又は第６工程により入力を受け付けた見積単価の基本情報及び分類情報を記憶部に登録して処理を終了する第７工程とを実行させることを特徴とする。
【発明の効果】
【００１０】
本発明による公共工事設計書データ見積単価検索システム及び公共工事設計書データ見積単価検索方法は、過去の見積もり情報を容易に検索し、過去の見積もり情報を容易に流用することができる。
【図面の簡単な説明】
【００１１】
【図１】本発明の実施例による公共工事設計書データ見積単価検索システムの基本的構成を示す図。
【図２】本実施例による公共工事設計書データ見積単価検索システムの利用形態を示す図。
【図３】本実施例による動作を示すフローチャート図。
【図４】本実施例による出力部に表示する表示画面を示す図。
【図５】本実施例による出力部に表示する表示画面を示す図。
【図６】本実施例による記憶部に格納する見積単価情報例を示す図。
【発明を実施するための形態】
【００１２】
以下、本発明による実施例を説明する。
【実施例１】
【００１３】
［構成］
本実施例による公共工事設計書データ見積単価検索方法を採用した公共工事設計書データ見積単価検索システムは、図１に示す如く、次の部位によって構成され、各部位は一般のＣＰＵ・メモリ・ＨＤＤ・各種インターフェース・表示装置・印字装置から成るコンピュータにより構成することができる。
【００１４】
（１）見積単価の基本情報及び分類情報を格納する記憶部１。
（２）見積単価の検索条件を入力する為の見積検索入力部２。
（３）記憶部１から見積検索入力部２から入力した見積検索条件に合致又は類似した見積単価情報を検索する検索処理部３。
【００１５】
（４）該検索処理部３が検索抽出した見積単価情報を一覧として表示出力する出力部４。
（５）該出力部４に表示した見積単価情報覧から操作者が選択した見積単価を自己の積算システムに複写する複写処理部５。
【００１６】
（６）他工事等の見積単価の基本情報及び分類情報を入力する為の見積入力部６。
（７）見積単価を記憶部１に登録する為の保存部７。
【００１７】
前記記憶部１に格納される見積単価情報は、図６に示す如く、見積単価と部品の形状と査定率と決定額と見積社数と見積整理表名称と備考と見積方式と分類区分と大分類と中分類と小分類との各項目情報から構成される。
【００１８】
このように構成した公共工事設計書データ見積単価検索システムは、図２に示す如く、業者Ａ及び業者Ｂに対する工事見積もり積算をシステム利用者Ａが自己の積算システムを用いて積算したとき、見積単価の基本情報及び分類情報を含む工事積算値情報を記憶部に格納しておき、システム利用者Ｂが自己の積算システムから前記記憶部を検索して見積単価等を自己の積算システムに複写するように利用される。
【００１９】
［動作］
さて、このように構成された公共工事設計書データ見積単価検索システムは、図３に示す如く、次のステップを実行することによって、見積単価の流用性を高めることができる。
ステップＳ０１：検索対象の見積単価の基本情報及び分類情報を図４（１）に示す如く見積検索入力部２から入力するステップ。この検索対象の見積単価の基本情報及び分類情報の入力画面は、図４（１）（ａ）に示す基本情報のキーワード検索の画面と、図４（１）（ｂ）に示す分類情報の絞り込み面図が表示される。
【００２０】
ステップＳ０２：記憶部１から見積検索条件に該当する見積単価情報を検索抽出するステップ。
ステップＳ０３：該ステップＳ０２により検索した見積単価情報に該当する見積単価情報が存在するか否か判定するステップ。
【００２１】
ステップＳ０４：該ステップＳ０３において該当する見積単価情報が存在すると判定したとき、一覧画面に該当する見積単価情報をリスト表示するステップ。
ステップＳ０５：該ステップＳ０４において表示した見積単価情報リストから選択された見積単価情報を自己の積載システムの設計書内に図４（２）に示す画面を表示して複写させるステップ。
【００２２】
ステップＳ０６：前記ステップＳ０３において該当する見積単価情報が存在しないと判定したとき、図５に示す入力画面を表示しながら見積入力部６を用いた見積単価の基本情報及び分類情報の入力を受けつけるステップ。
【００２３】
ステップＳ０７：前記ステップＳ０５及びステップＳ０６に続き、ステップＳ０５により複写した見積単価又はステップＳ０６により入力した見積単価の基本情報及び分類情報を記憶部１に登録して処理を終了するステップ。
【００２４】
このように本実施例による公共工事設計書データ見積単価検索システムは、従来技術においては、見積り積算システムの複写機能が複写元となる見積単価を設計書毎に表示して類似見積を検索する為には設計書毎に画面表示し検索していく必要がある課題と、見積り取得条件の観点が統一されていなかった為に見積が流用できなかった課題があったのに対し、見積単価登録時に見積り分類情報を付与する機能を追加し、積算システム利用ユーザ毎の見積り条件の統一化を図り、見積単価の流用性を高めることができる。また、見積単価複写機能における複写元見積単価の一覧表示機能において、設計書に関わらず登録済みの見積単価すべてに対し、名称による検索及び大中小分類から検索出来る機能を追加し、操作性の向上を行うことができる。
【符号の説明】
【００２５】
１  記憶部、２  見積入力部、３  検索処理部、４  出力部、
５  複写処理部、６  見積入力部、７  保存部
【図１】
2016218602.tif 000003
【図２】
2016218602.tif 000004
【図３】
2016218602.tif 000005
【図４】
2016218602.tif 000006
【図５】
2016218602.tif 000007
【図６】
2016218602.tif 000008